(57)【要約】  【課題】  光ディスク装置において、記録品質に対応した記録ストラテジを短時間で設定可能にする。  【解決手段】  装着された光ディスクのＩＤに対応した記録ストラテジを記憶手段から読み出し、パワーを変えてテスト記録を行い、少なくともＣ１エラー値もしくはＰＩエラー値、β値及びチルト値を含む特性値を求め、該求めた特性値から該光ディスクの記録品質を判別し、該判別結果に基づき、本番記録用の記録ストラテジを、上記記憶手段に記憶した複数の記録ストラテジの中から選択して設定する。【選択図】  図２
2006134403.tif 000002
【特許請求の範囲】
【請求項１】
記録ストラテジに従い光ディスクに情報を記録する光ディスク装置であって、
複数の異なる記録ストラテジを記憶する記憶手段と、
装着された光ディスクのＩＤに対応した記録ストラテジを上記記憶手段から読み出して装置にテスト記録を行わせ、Ｃ１エラー値もしくはＰＩエラー値、β値もしくは記録パワー値、及びチルト値を含む記録特性を求め、該求めた記録特性から該光ディスクの記録品質を判別し、該判別結果に基づき、本番記録のための記録ストラテジを上記複数の記録ストラテジの中から選択して設定する制御手段と、
を備え、記録動作に先立ち、光ディスクの記録品質に適した記録ストラテジを選択して設定する構成としたことを特徴とする光ディスク装置。
【請求項２】
記録ストラテジに従い光ディスクに情報を記録する光ディスク装置であって、
複数の異なる記録ストラテジを記憶する記憶手段と、
装着された光ディスクのＩＤを判別する第１の判別手段と、
上記判別したＩＤに対応した記録ストラテジを、上記記憶手段に記憶された複数の記録ストラテジの中から読み出すストラテジ読み出し手段と、
上記読み出した記録ストラテジに従い実施されるテスト記録の結果から、Ｃ１エラー値もしくはＰＩエラー値、β値もしくは記録パワー値、及びチルト値を含む記録特性を求める特性検出手段と、
上記求めた記録特性から上記光ディスクの記録品質を判別する第２の判別手段と、
上記判別結果に基づき、上記記憶手段に記憶された複数の記録ストラテジの中から情報記録のための記録ストラテジを選択して設定するストラテジ選択・設定手段と、
を備え、本番の記録動作に先立ち、光ディスクの記録品質に適した記録ストラテジを選択して設定する構成としたことを特徴とする光ディスク装置。
【請求項３】
記録ストラテジに従い光ディスクに情報を記録する光ディスク装置の情報記録方法であって、
装着された光ディスクのＩＤを判別するステップと、
上記判別したＩＤに対応した記録ストラテジを、記憶手段に記憶された複数の記録ストラテジの中から読み出すステップと、
上記読み出した記録ストラテジに従いテスト記録を行い、Ｃ１エラー値もしくはＰＩエラー値、β値もしくは記録パワー値、及びチルト値を含む記録特性を求めるステップと、
上記求めた記録特性から上記光ディスクの記録品質を判別するステップと、
上記判別結果に基づき、上記複数の記録ストラテジの中から情報記録のための記録ストラテジを選択して設定するステップと、
を経て、上記設定した記録ストラテジに基づき、情報記録を行う構成としたことを特徴とする光ディスク装置の情報記録方法。
【発明の詳細な説明】
【技術分野】
【０００１】
本発明は、光ディスクに対し情報を記録する光ディスク装置に係り、特に、記録ストラテジの設定に関する。
【背景技術】
【０００２】
近年、光ディスクの普及とともにディスクの品質のばらつきも大きくなり、また、高速記録化により記録品質の余裕度が減少するようになっている。従来、光ディスク装置ではディスクのＩＤ毎に１つの記録ストラテジを用いていたが、これら品質ばらつきの増大や記録品質の余裕度の減少への対応が難しくなっており、改善技術が望まれている。
改善技術として提案されているものとしては、例えば、特開２００３−５９０４７号公報（特許文献１）や特開２００４−１７１６３７号公報（特許文献２）に記載された技術がある。特開２００３−５９０４７号には、メモリに記録された全部または適宜選択された複数の記録ストラテジー（記録ストラテジ）を用い、それぞれ記録パワーを変化させてテスト記録を行い、相対的に高い信号品位が得られる記録ストラテジーを記録パワーに基づき選択して本番の記録に用いるとする技術が記載され、特開２００４−１７１６３７号公報には、ディスクの品質をチェックする第１の試し書き処理を行い、ディスクの品質が悪い場合は試し書きのパラメータを増やし、シーケンス処理を変えて第２の試し書き処理を行うとする技術が記載されている。
【０００３】
【特許文献１】特開２００３−５９０４７号公報
【特許文献２】特開２００４−１７１６３７号公報
【発明の開示】
【発明が解決しようとする課題】
【０００４】
上記特開２００３−５９０４７号公報記載の技術は、複数の記録ストラテジー（記録ストラテジ）のそれぞれで、記録パワーを変化させてテスト記録を行い、相対的に高い信号品位が得られる記録ストラテジーを選択するものであるため、記録ストラテジー（記録ストラテジ）の設定に時間がかかるおそれがある。また、上記特開２００４−１７１６３７号公報記載の技術も、ディスクの品質が悪い場合は試し書きのパラメータを変え第２の試し書き処理を行うため、試し書き処理に時間がかかり、記録ストラテジの設定までの時間が長くなるおそれがある。
本発明の課題点は、上記従来技術の状況に鑑み、光ディスク装置において、情報記録時に、記録ストラテジを短時間で設定できるようにすることである。
本発明の目的は、かかる課題点を解決し、短時間で情報の記録動作を開始できかつ記録品質を確保可能な光ディスク装置の記録制御技術を提供することにある。
【課題を解決するための手段】
【０００５】
上記課題点を解決するために、本発明では、光ディスク装置において、装着された光ディスクのＩＤに対応した記録ストラテジ（記録信号のパワーやタイミングを指定する情報）を記憶手段から読み出し、パワーを変化させてテスト記録（試し書き）を行い、少なくともＣ１エラー値（ＣＤの場合）もしくはＰＩエラー値（ＤＶＤの場合）、β値（再生信号波形の最大振幅と最小振幅の比）もしくは該β値から決定される記録パワー値、及びチルト値（光ディスクの傾き量）を含む記録特性を求め、該求めた記録特性から該光ディスクの記録品質を判別し、該判別結果に基づき記録ストラテジを複数の記録ストラテジの中から選択して設定し、該設定した記録ストラテジで本番記録を行う。具体的には、本発明は、上記を基本構成要件とする光ディスク装置と、上記を経時的基本動作要件とする光ディスク装置の情報記録方法である。
【発明の効果】
【０００６】
本発明によれば、光ディスク装置において、光ディスクの記録品質に適した記録ストラテジを短時間で設定でき、情報記録動作を迅速に開始することができる。
【発明を実施するための最良の形態】
【０００７】
以下、本発明を実施するための最良の形態につき、図面を用いて説明する。
図１〜図２は、本発明の実施形態の説明図である。図１は、本発明の実施形態としての光ディスク装置の構成例図、図２は、図１の光ディスク装置における記録動作の説明図である。
【０００８】
図１において、１００は光ディスク装置、１は光ディスク、２は光ディスク１を回転駆動するためのスピンドルモータ、３は、スピンドルモータ２を駆動するモータ駆動部、４は、光ディスク１に対しレーザー光を照射し、該光ディスク１にデータを記録したり、記録されたデータを読み出したりする光ピックアップ、５は、光ピックアップ４内の対物レンズ（図示なし）などレーザー光照射・受光の光学系を構成する光ヘッド、６は、レーザー光を発生するレーザーダイオード、７は、記録信号に基づきレーザーダイオード６を駆動するレーザー駆動回路、８は、対物レンズの位置や姿勢を変えるアクチュエータ、９は、アクチュエータ８を駆動するアクチュエータ駆動部、１０は、光ヘッド５により読み出されたデータに基づき再生信号の増幅処理を行うＲＦ増幅部、１１は、ＲＦ増幅部１０からのアナログ信号の処理や、該アナログ信号をデジタル化してのデータ処理や、装置制御などを行うＤＳＰ（Ｄｉｇｉｔａｌ  Ｓｉｇｎａｌ  Ｐｒｏｃｅｓｓｏｒ）、１２は、ＤＳＰ１１内において、反射レーザー光から変換されたアナログ信号から再生信号を形成したり、トラッキング誤差信号やフォーカス誤差信号やモータ制御用信号などのサーボ信号を形成したりする再生・サーボ信号形成部、１２ａは、再生・サーボ信号形成部１２内で再生信号を形成する再生信号形成回路、１２ｂは、同じく再生・サーボ信号形成部１２内でサーボ信号を形成するサーボ信号形成回路、１３は、記録信号を形成してレーザー駆動回路７側に出力する記録信号形成回路、１４は、装置全体の制御を行う制御手段としてのマイコン、１５は、外部装置としてのホストコンピュータ、１６は、記録ストラテジが格納（記憶）されている記憶手段としてのメモリ、１７は、ホストコンピュータ１５からの転送データまたはＤＳＰ１１からの転送データを一時的に保存するためのバッファメモリ、１８は、マイコン１４の指示により、ホストコンピュータ１５からの要求信号を受信したり、データをバッファメモリ１７に取入れたり、該バッファメモリ１７のデータをホストコンピュータ１５に送信したりするインターフェース部である。
【０００９】
記憶手段としてのメモリ１６には予め、複数の異なる記録ストラテジ（記録信号のパワーやタイミングを指定する情報）が記憶される。該複数の記録ストラテジは、ディスクＩＤに対応した記録ストラテジの他、光ディスクの記録品質に対応して設定されている記録ストラテジである。該光ディスクの記録品質は、Ｃ１エラー値（ＣＤの場合）もしくはＰＩエラー値（ＤＶＤの場合）や、β値（再生信号波形の最大振幅と最小振幅の比）もしくは該β値から決定される記録パワー値や、チルト値（光ディスクの傾き量）などを含む特性値から判別される。
【００１０】
ＤＳＰ１１内では、マイコン１４が、再生・サーボ信号形成部１２を制御して、ＲＦ増幅部１０からの信号に基づき、再生信号の形成、トラッキング制御用信号やフォーカス制御用信号やモータ制御用信号などの形成を行わせるとともに、ホストコンピュータ１５側からの指示に従い、記録信号形成回路１３を制御して、記録情報の形成や、記録情報を記録するための制御などを行う。すなわち、マイコン１４は、装着された光ディスク１のＩＤを判別する第１の判別手段（図示なし）と、該判別したＩＤに対応した記録ストラテジを、上記メモリ１６に記憶された複数の記録ストラテジの中から読み出すストラテジ読み出し手段（図示なし）と、該読み出した記録ストラテジに従って、記録信号形成回路１３から出力される記録信号により実施されるテスト記録（試し書き）の結果から、Ｃ１エラー値もしくはＰＩエラー値、β値もしくは該β値から決定される記録パワー値、チルト値、ジッタ値などの記録特性を求める特性検出手段（図示なし）と、該求めた記録特性から光ディスク１の記録品質を判別する第２の判別手段（図示なし）と、該判別結果に基づき、複数の記録ストラテジの中から本番の情報記録のための記録ストラテジを選択して設定するストラテジ選択・設定手段（図示なし）とを備えている。
【００１１】
上記構成により、光ディスク装置１００は、ＯＰＣ（Ｏｐｔｉｍｕｍ  Ｐｏｗｅｒ  Ｃａｌｉｂｒａｔｉｏｎ）処理として、マイコン１４により、装着された光ディスクのＩＤを判別し、該判別したＩＤに対応した記録ストラテジを、上記メモリ１６に記憶された複数の記録ストラテジの中から読み出し、該読み出した記録ストラテジに従って実施されるテスト記録の結果から、少なくともＣ１エラー値もしくはＰＩエラー値、β値もしくは該β値から決定される記録パワー値、及びチルト値を含む記録特性を求め、該求めた記録特性から光ディスク１の記録品質を判別し、該判別結果に基づき、メモリ１６に記憶された複数の記録ストラテジの中から本番の情報記録のための記録ストラテジを選択して読み出して設定する。これによって、本番の記録動作に先立ち、光ディスク１の記録品質に適した記録ストラテジを設定する。本番の情報記録は、該設定した記録ストラテジにより行う。上記テスト記録の結果、β値から決定される記録パワー値が適正でない場合は、再度テスト記録を行う。
【００１２】
図２は、図１の光ディスク装置における記録動作の説明図である。図２の説明中で用いる上記図１の装置の構成要素にも、該図１の場合と同じ符号を付すとする。
図２において、
（１）マイコン１４は、装着された光ディスクのＯＰＣ処理をスタートさせる（ステップＳ２０１）。
（２）マイコン１４は、装着された光ディスクのＩＤを判別する（ステップＳ２０２）。
（３）マイコン１４は、上記判別したＩＤに対応した記録ストラテジを、メモリ１６に記憶された複数の記録ストラテジの中から読み出して参照する（ステップＳ２０３）。
（４）マイコン１４は、記録信号形成回路１３を制御して、光ディスク装置１００に対し、上記参照した記録ストラテジにてテスト記録（試し書き）を行わせる（ステップＳ２０４）。
（５）マイコン１４は、上記テスト記録の結果から、少なくともＣ１エラー値もしくはＰＩエラー値、β値もしくは該β値から決定される記録パワー値、及びチルト値を含む記録特性を求める（ステップＳ２０５）。
【００１３】
（６）マイコン１４は、上記求めたβ値から決定される記録パワー値は適正範囲か否かを判別する（ステップＳ２０６）。
（７）上記ステップＳ２０６の判別の結果、上記記録パワー値が適正範囲の値である場合は、マイコン１４は、上記求めた記録特性から光ディスク１の記録品質を判別する（ステップＳ２０７）。該判別では、記録品質として例えば、Ｃ１エラー（もしくはＰＩエラー値）≦１００、β値≦０、チルト≦４°となる記録品質「Ａ」か、Ｃ１エラー（もしくはＰＩエラー値）＞１００、β値≦０、チルト≦４゜となる記録品質「Ｂ」か、記録品質「Ａ」、「Ｂ」以外の記録品質「Ｃ」かを判別する。
（８）マイコン１４は、上記ステップＳ２０７における判別の結果に基づき、メモリ１６に記憶された複数の記録ストラテジの中から本番の情報記録のための記録ストラテジを選択して読み出し、設定する（ステップＳ２０８）。例えば、上記ステップＳ２０７における判別の結果、記録品質が「Ａ」の場合は、本番の情報記録用の記録ストラテジとして「ストラテジ１」を選択して設定し、上記ステップＳ２０７における判別の結果、記録品質が「Ｂ」の場合は、本番の情報記録用の記録ストラテジとして「ストラテジ２」を選択して設定し、同様に、記録品質が「Ｃ」の場合は、本番の情報記録用の記録ストラテジとして「ストラテジ２」を選択して設定する。これにより、ＯＰＣ処理を終了する。なお、予め、記録品質「Ａ」に対しては「ストラテジ１」が適切な本番記録用の記録ストラテジとして登録され、記録品質「Ｂ」に対しては「ストラテジ２」が適切な本番記録用の記録ストラテジとして登録され、記録品質「Ｃ」に対しては「ストラテジ３」が適切な本番記録用の記録ストラテジとして登録され、メモリ１６に記憶されているものとする。
（９）マイコン１４は、上記ステップＳ２０８で設定した記録ストラテジにより、光ディスク装置１００に本番記録を開始させる（ステップＳ２０９）。
（１０）上記ステップＳ２０６の判別の結果、上記記録パワー値が適正範囲の値でない場合は、マイコン１４は、動作をステップＳ２０４に戻し、再度テスト記録を行わせる（ステップＳ２０４）。
【００１４】
上記ステップＳ２０７では、記録品質の判別に、Ｃ１エラー値もしくはＰＩエラー値と、β値と、チルト量とを用いたが、Ｃ１エラー値もしくはＰＩエラー値と、記録パワー値と、チルト量とを用いてもよいし、Ｃ１エラー値もしくはＰＩエラー値と、β値と、チルト量またはＣ１エラー値もしくはＰＩエラー値と、記録パワー値と、チルト量に加え、ジッタ値や他の記録特性値などを用いてもよい。また、マイコン１４は、上記ステップＳ２０８では、上記ステップＳ２０７における判別の結果に基づき、メモリ１６に記憶された複数の記録ストラテジを読み出し、該読み出した記録ストラテジの中から本番の情報記録のための記録ストラテジを選択して設定するようにしてもよい。
【００１５】
上記（１）〜（１０）の一連の動作は、マイコン１４が、プログラムに従い、上記ステップＳ２０１〜ステップＳ２０９の一連の手順を実行することにより自動的に行われる。マイコン１４に該諸手順を実行させる該プログラムは、光ディスク装置１００内の例えばメモリ１６などに予め記憶されている。
【００１６】
上記本発明の実施形態によれば、光ディスク装置１００において、情報記録時に、テスト記録の結果から、少なくともＣ１エラー値もしくはＰＩエラー値、β値もしくは該β値から決定される記録パワー値、及びチルト値を含む複数の記録特性を求め、該複数の記録特性に基づき適切な記録ストラテジを選択し設定する構成のため、装着された光ディスク１に総合的に適する記録ストラテジを設定することができるとともに、記録パワー値が適正でない場合以外はテスト記録は１回となり、短時間での記録ストラテジの設定が可能となる。このため、短時間内での本番の情報記録の開始と記録品質の確保とが可能となる。
なお、上記実施形態では、メモリ１６を、ＤＳＰ１１とは別個に設けたが、該ＤＳＰ１１内に設ける構成としてもよいし、マイコン１４内に設けてもよい。
【図面の簡単な説明】
【００１７】
【図１】本発明の実施形態としての光ディスク装置の構成例図である。
【図２】図１の光ディスク装置における記録動作の説明図である。
【符号の説明】
【００１８】
１…光ディスク、
２…スピンドルモータ、
３…モータ駆動部、
４…光ピックアップ、
５…光ヘッド、
６…レーザーダイオード、
７…レーザー駆動回路、
８…アクチュエータ、
９…アクチュエータ駆動部、
１０…ＲＦ増幅部、
１１…ＤＳＰ、
１２…再生・サーボ信号形成部、
１２ａ…再生信号形成回路、
１２ｂ…サーボ信号形成回路、
１３…記録信号形成回路、
１４…マイコン、
１５…ホストコンピュータ、
１６…メモリ、
１７…バッファメモリ、
１８…インターフェース部、
１００…光ディスク装置。
【図１】
2006134403.tif 000003
【図２】
2006134403.tif 000004